(57)【要約】【課題】簡易に経路設計を行うことが可能なネットワークシステム、管理装置、管理方法及び管理プログラムを提供する。【解決手段】ＷＤＭネットワーク２は、ＯＭＳセクションを介して通信を行いＢａｃｋ  ｔｏ  Ｂａｃｋセクションで互いに接続される複数のＮＥ１と、Ｂａｃｋ  ｔｏ  Ｂａｃｋセクションにより接続されたＮＥ１の接続情報に基づいて、ＮＥ１のＯＭＳセクションによる通信の通信経路を生成するＮＭＳ１０と、を備えるものである。【選択図】図１
2015177402.tif 000002
【特許請求の範囲】
【請求項１】
第一の手段で通信を行い第二の手段で互いに接続される複数の通信機と、
前記第二の手段により接続された前記通信機の接続情報に基づいて、前記通信機の第一の手段による通信の通信経路を生成する管理装置と、
を備える、ネットワークシステム。
【請求項２】
前記第一の手段による通信は、第一の通信レイヤを介した通信であり、
前記第二の手段による接続は、第二の通信レイヤを介した接続である、
請求項１に記載のネットワークシステム。
【請求項３】
前記第一の通信レイヤは、前記第二の通信レイヤよりも上位のレイヤである、
請求項２に記載のネットワークシステム。
【請求項４】
前記第一の手段による通信は、光多重セクションを介した通信であり、
前記第二の手段による通信続は、物理セクションを介した接続である、
請求項３に記載のネットワークシステム。
【請求項５】
前記物理セクションを介した接続は、トランスポンダを介したＢａｃｋ  ｔｏ  Ｂａｃｋ接続である、
請求項４に記載のネットワークシステム。
【請求項６】
前記第二の手段の接続による伝送距離は、前記第一の手段の通信による伝送距離よりも短い、
請求項１乃至５のいずれか一項に記載のネットワークシステム。
【請求項７】
前記管理装置は、
前記第二の手段により接続された前記複数の通信機にグループを指定するグループ指定部と、
前記指定されたグループに基づいて前記通信経路を生成する経路生成部と、
を備える、請求項１乃至６のいずれか一項に記載のネットワークシステム。
【請求項８】
前記経路生成部は、前記グループ内の前記複数の通信機における前記第一の手段が通信を行う経路を、前記グループの入力または出力経路として、前記通信経路を生成する、
請求項７に記載のネットワークシステム。
【請求項９】
第一の手段で通信を行う第一の通信機と、
前記第一の手段で通信を行い第二の手段で互いに接続される複数の第二の通信機と、
前記第二の手段により接続された前記第二の通信機の接続情報に基づいて、前記第一の通信機と前記第二の通信機の第一の手段による通信の通信経路を生成する管理装置と、
を備える、ネットワークシステム。
【請求項１０】
第一の手段で通信を行い第二の手段で互いに接続される複数の通信機を管理する管理装置であって、
前記第二の手段により接続された前記通信機の接続情報を取得する接続情報取得部と、
前記接続情報に基づいて、前記通信機の第一の手段による通信の通信経路を生成する経路生成部と、
を備える管理装置。
【請求項１１】
第一の手段で通信を行う第一の通信機と、前記第一の手段で通信を行い第二の手段で互いに接続される複数の第二の通信機と、を管理する管理装置であって、
前記第二の手段により接続された前記第二の通信機の接続情報を取得する接続情報取得部と、
前記接続情報に基づいて、前記第一の通信機と前記第二の通信機の第一の手段による通信の通信経路を生成する経路生成部と、
を備える管理装置。
【請求項１２】
第一の手段で通信を行い第二の手段で互いに接続される複数の通信機を管理する管理方法であって、
前記第二の手段により接続された前記通信機の接続情報を取得し、
前記接続情報に基づいて、前記通信機の第一の手段による通信の通信経路を生成する、
管理方法。
【請求項１３】
第一の手段で通信を行う第一の通信機と、前記第一の手段で通信を行い第二の手段で互いに接続される複数の第二の通信機と、を管理する管理方法であって、
前記第二の手段により接続された前記第二の通信機の接続情報を取得し、
前記接続情報に基づいて、前記第一の通信機と前記第二の通信機の第一の手段による通信の通信経路を生成する、
管理方法。
【請求項１４】
第一の手段で通信を行い第二の手段で互いに接続される複数の通信機を管理する管理装置に実行させるための管理プログラムであって、
前記第二の手段により接続された前記通信機の接続情報を取得し、
前記接続情報に基づいて、前記通信機の第一の手段による通信の通信経路を生成する、
管理プログラム。
【請求項１５】
第一の手段で通信を行う第一の通信機と、前記第一の手段で通信を行い第二の手段で互いに接続される複数の第二の通信機と、を管理する管理装置に実行させるための管理プログラムであって、
前記第二の手段により接続された前記第二の通信機の接続情報を取得し、
前記接続情報に基づいて、前記第一の通信機と前記第二の通信機の第一の手段による通信の通信経路を生成する、
管理プログラム。
【発明の詳細な説明】
【技術分野】
【０００１】
本発明は、ネットワークシステム、管理装置、管理方法及び管理プログラムに関し、特に、複数の通信装置の経路を管理するネットワークシステム、管理装置、管理方法及び管理プログラムに関する。
【背景技術】
【０００２】
ＷＤＭ（Wavelength Division Multiplex）ネットワークを構成するＷＤＭ装置が知られている。例えば、ＷＤＭ装置は、他装置とＯＭＳ（Optical Multiplex Section）セクション（光多重セクション）で接続する方路を２方路保持しており、この２方路を介してリニア型ネットワーク、リング型ネットワークを構築することができる。一方、メッシュ型ネットワークなどを構築するためには、２方路よりも多くの方路が必要となる。このため、装置同士をＢａｃｋ  ｔｏ  Ｂａｃｋ（Ｐｈｙｓｉｃａｌ）セクションで接続（Ｂａｃｋ  ｔｏ  Ｂａｃｋ接続）する方法が利用されている。Ｂａｃｋ  ｔｏ  Ｂａｃｋ接続とは、装置に備えられたトランスポンダを介して、近隣の装置間で相互接続（対向接続）することである。
【０００３】
また、このようなネットワークを管理するＮＭＳ（ネットワーク管理システム）が知られている。ＮＭＳは、ネットワークのＷＤＭ装置を接続する経路などを管理している。関連する技術として、例えば特許文献１〜４が知られている。
【先行技術文献】
【特許文献】
【０００４】
【特許文献１】特開２００１−２７４８２３号公報
【特許文献２】特開２００２−０５７６９７号公報
【特許文献３】特開２０１１−１６０３２４号公報
【特許文献４】特開２０１２−２２２６７５号公報
【発明の概要】
【発明が解決しようとする課題】
【０００５】
一般にＮＭＳが経路設計（生成）を行う場合、Ｐｈｙｓｉｃａｌセクションより上位レイヤであるＯＭＳセクションで経路を設計する。しかしながら、上記のようなＢａｃｋ  ｔｏ  Ｂａｃｋ接続を含むネットワークにおいて経路設計を行おうとすると、ＯＭＳセクションとＰｈｙｓｉｃａｌセクションではレイヤが異なるため、レイヤ間を跨る複雑な経路設計を行う必要があるという問題がある。
【０００６】
本発明は、このような課題に鑑み、簡易に経路設計を行うことが可能なネットワークシステム、管理装置、管理方法及び管理プログラムを提供することを目的とする。
【課題を解決するための手段】
【０００７】
本発明に係るネットワークシステムは、第一の手段で通信を行い第二の手段で互いに接続される複数の通信機と、前記第二の手段により接続された前記通信機の接続情報に基づいて、前記通信機の第一の手段による通信の通信経路を生成する管理装置と、を備えるものである。
【０００８】
本発明に係るネットワークシステムは、第一の手段で通信を行う第一の通信機と、前記第一の手段で通信を行い第二の手段で互いに接続される複数の第二の通信機と、前記第二の手段により接続された前記第二の通信機の接続情報に基づいて、前記第一の通信機と前記第二の通信機の第一の手段による通信の通信経路を生成する管理装置と、を備えるものである。
【０００９】
本発明に係る管理装置は、第一の手段で通信を行い第二の手段で互いに接続される複数の通信機を管理する管理装置であって、前記第二の手段により接続された前記通信機の接続情報を取得する接続情報取得部と、前記接続情報に基づいて、前記通信機の第一の手段による通信の通信経路を生成する経路生成部と、を備えるものである。
【００１０】
本発明に係る管理装置は、第一の手段で通信を行う第一の通信機と、前記第一の手段で通信を行い第二の手段で互いに接続される複数の第二の通信機と、を管理する管理装置であって、前記第二の手段により接続された前記第二の通信機の接続情報を取得する接続情報取得部と、前記接続情報に基づいて、前記第一の通信機と前記第二の通信機の第一の手段による通信の通信経路を生成する経路生成部と、を備えるものである。
【００１１】
本発明に係る管理方法は、第一の手段で通信を行い第二の手段で互いに接続される複数の通信機を管理する管理方法であって、前記第二の手段により接続された前記通信機の接続情報を取得し、前記接続情報に基づいて、前記通信機の第一の手段による通信の通信経路を生成するものである。
【００１２】
本発明に係る管理方法は、第一の手段で通信を行う第一の通信機と、前記第一の手段で通信を行い第二の手段で互いに接続される複数の第二の通信機と、を管理する管理方法であって、前記第二の手段により接続された前記第二の通信機の接続情報を取得し、前記接続情報に基づいて、前記第一の通信機と前記第二の通信機の第一の手段による通信の通信経路を生成するものである。
【００１３】
本発明に係る管理プログラムは、第一の手段で通信を行い第二の手段で互いに接続される複数の通信機を管理する管理装置に実行させるための管理プログラムであって、前記第二の手段により接続された前記通信機の接続情報を取得し、前記接続情報に基づいて、前記通信機の第一の手段による通信の通信経路を生成するものである。
【００１４】
本発明に係る管理プログラムは、第一の手段で通信を行う第一の通信機と、前記第一の手段で通信を行い第二の手段で互いに接続される複数の第二の通信機と、を管理する管理装置に実行させるための管理プログラムであって、前記第二の手段により接続された前記第二の通信機の接続情報を取得し、前記接続情報に基づいて、前記第一の通信機と前記第二の通信機の第一の手段による通信の通信経路を生成するものである。
【発明の効果】
【００１５】
本発明によれば、簡易に経路設計を行うことが可能なネットワークシステム、管理装置、管理方法及び管理プログラムを提供することができる。
【図面の簡単な説明】
【００１６】
【図１】実施の形態に係るネットワークシステムの概要を示す構成図である。
【図２】実施の形態に係るネットワークシステムの概要を説明するための説明図である。
【図３】実施の形態に係るネットワークシステムの概要を説明するための説明図である。
【図４】実施の形態１に係るネットワークシステムの構成を示す構成図である。
【図５】実施の形態１に係るネットワークシステムの動作を示すフローチャートである。
【図６】実施の形態１に係るネットワークシステムの表示画面例を示すイメージ図である。
【図７】実施の形態１に係るネットワークシステムの表示画面例を示すイメージ図である。
【図８】実施の形態１に係るネットワークシステムの表示画面例を示すイメージ図である。
【図９】実施の形態１に係るネットワークシステムの表示画面例を示すイメージ図である。
【図１０】実施の形態１に係るネットワークシステムの表示画面例を示すイメージ図である。
【図１１】実施の形態１に係るネットワークシステムの表示画面例を示すイメージ図である。
【図１２】参考例のネットワークシステムの構成を示す構成図である。
【図１３】参考例のネットワークシステムを説明するための説明図である。
【図１４】参考例のネットワークシステムを説明するための説明図である。
【図１５】参考例のネットワークシステムの構成を示す構成図である。
【発明を実施するための形態】
【００１７】
（参考例）
実施の形態の説明の前に、実施の形態適用前の参考例について説明する。図１２は、参考例のネットワークシステム９００の構成を示している。図１２に示すように、参考例のネットワークシステム９００は、複数のＮＥ（Network Element）１−１〜１−１１（いずれかをＮＥ１とも称する）と、ＮＭＳ（Network Management System）９０とを備えている。
【００１８】
ＮＥ１−１〜１−１１は、ＷＤＭ方式で通信可能に接続されＷＤＭネットワーク２を構成する。ＮＥ１−１〜１−９は、リング状に接続され、それぞれＯＭＳセクションＯＳを介して通信可能である（ＯＭＳセクション接続されている）。ＮＥ１−２とＮＥ１−１０の間、ＮＥ１−１１とＮＥ１−８の間は、相互接続（対向接続）され、Ｂａｃｋ  ｔｏ  Ｂａｃｋ（Ｐｈｙｓｉｃａｌ）セクションＢＳを介して通信可能である（Ｂａｃｋ  ｔｏ  Ｂａｃｋ接続されている）。ＮＥ１−１０とＮＥ１−１１の間は、ＯＭＳセクションＯＳを介して接続されている。
【００１９】
また、ＮＥ１−１〜１−１１とＮＭＳ９０との間は、ＬＡＮなどの管理ネットワーク３を介して通信可能に接続されており、ＮＭＳ９０は、管理ネットワーク３を介してＮＥ１−１〜１−１１の設定や通信状態などを管理する。
【００２０】
ＮＭＳ９０が、ＮＥ１−１〜１−１１にパス（経路）を設定する場合、例えば、ＮＥ１−１（始端ノード）とＮＥ１−６（終端ノード）との間で最適な経路を設計（生成）し、設計した経路をＮＥ１−１〜１−１１に設定（登録）する。例えば、最短な経路として、ＮＥ１−１、ＮＥ１−２、ＮＥ１−１０、ＮＥ１−１１、ＮＥ１−８、ＮＥ１−７、ＮＥ１−６の設計パス４を設計する。この場合、設計パス４には、ＯＭＳセクションＯＳとＢａｃｋ  ｔｏ  ＢａｃｋセクションＢＳが含まれる。
【００２１】
図１３に示すように、参考例のＮＭＳ９０は、ＮＥ１間のＯＭＳセクションレイヤの接続関係（帯域など含む）とＢａｃｋ  ｔｏ  Ｂａｃｋセクションの接続関係とをそれぞれ管理している。このため、参考例では、設計パス４のような経路を設計する場合、ＯＭＳセクションレイヤの接続関係とＢａｃｋ  ｔｏ  Ｂａｃｋセクションの接続関係を考慮し最適な経路を設計する必要がある。そうすると、レイヤを跨って経路を設計するため、ＯＭＳセクションレイヤのみで経路設計する場合と比べて経路設計が複雑になるという問題がある。
【００２２】
そこで、他の参考例として、図１４に示すように、Ｂａｃｋ  ｔｏ  ＢａｃｋセクションＢＳを仮想ＯＭＳセクションＶＯＳに置換する例が考えられる。Ｂａｃｋ  ｔｏ  Ｂａｃｋセクションを、仮想的にＯＭＳセクションと同一レイヤに置き換えることで、ＯＭＳセクションレイヤのみで経路設計できるため、経路設計の複雑化を防ぐことができる。
【００２３】
しかし、仮想ＯＭＳセクションの例では、図１５のように、装置数が増える従ってセクション数が増加し、管理が複雑になるという問題がある。図１５では、図１２に対し、ＮＥ１−１２〜１−１５が追加されており、ＮＥ１−２、ＮＥ１−１０、ＮＥ１−１２、ＮＥ１−１３がそれぞれ互いにＢａｃｋ  ｔｏ  ＢａｃｋセクションＢＳを介して接続され、ＮＥ１−８、ＮＥ１−１１、ＮＥ１−１４、ＮＥ１−１５がそれぞれ互いにＢａｃｋ  ｔｏ  ＢａｃｋセクションＢＳを介して接続されている。
【００２４】
図１５の例では、これらの全てのＢａｃｋ  ｔｏ  Ｂａｃｋセクションを仮想ＯＭＳセクションＶＯＳに置き換えて経路設計を行う。ＮＥ１−１とＮＥ１−６の間の設計パス４を設計しようとすると、Ｂａｃｋ  ｔｏ  Ｂａｃｋセクションの置換により増加した多数の仮想ＯＭＳセクションＶＯＳの接続関係を考慮する必要があるため、この場合でも経路設計が複雑になるという問題がある。
【００２５】
そこで、以下の実施の形態では、Ｂａｃｋ  ｔｏ  Ｂａｃｋ接続されたＮＥを含むネットワークにおいて、簡易に経路設計を行うことを可能とする。
【００２６】
（実施の形態の概要）
図１は、実施の形態に係るネットワークシステム１００の概要を示している。図１に示すように、実施の形態に係るネットワークシステム１００は、図１２の参考例と同様に、ＷＤＭネットワーク２を構成する複数のＮＥ１−１〜１−１１と、ＮＥ１−１〜１−１１を管理するＮＭＳ１０とを備えている。
【００２７】
ＮＥ（通信機）１−１〜１−１１は、ＯＭＳセクションＯＳ（第一の手段）で通信を行い、またはＢａｃｋ  ｔｏ  ＢａｃｋセクションＢＳ（第二の手段）で互いに接続され、ＮＥ１−１〜１−１１とＮＭＳ１０は、管理ネットワーク３を介して接続されている。例えば、ＮＥ１は、第１及び第２の通信方路ではＯＭＳセクションＯＳを介して通信を行い、第３の通信方路ではＢａｃｋ  ｔｏ  ＢａｃｋセクションＢＳを介して互いに接続されている。
【００２８】
ＮＭＳ１０は、Ｂａｃｋ  ｔｏ  Ｂａｃｋ接続されたＮＥ１の接続情報に基づいて、ＮＥ１のＯＭＳセクションによる通信経路を生成する。例えば、ＮＭＳ１０は、グループ指定部１１と経路生成部１２とを備えている。グループ指定部１１は、Ｂａｃｋ  ｔｏ  ＢａｃｋセクションＢＳを介して接続された複数のＮＥ１にグループを指定する。グループ指定部１１は、Ｂａｃｋ  ｔｏ  Ｂａｃｋ接続されたＮＥ１の接続情報を取得する接続情報取得部でもある。経路生成部１２は、Ｂａｃｋ  ｔｏ  Ｂａｃｋ接続されたＮＥ１の接続情報、もしくは、指定されたグループに基づいて、ＯＭＳセクションで通信を行う通信経路を生成する。
【００２９】
例えば、図１に示すように、Ｂａｃｋ  ｔｏ  Ｂａｃｋ接続されたＮＥ１の接続情報に基づいて、Ｂａｃｋ  ｔｏ  ＢａｃｋセクションＢＳを介して接続されたＮＥ１−２及びＮＥ１−１０をグループＧ１に指定し、Ｂａｃｋ  ｔｏ  ＢａｃｋセクションＢＳを介して接続されたＮＥ１−１１及びＮＥ１−８をグループＧ２に指定する。そして、図２に示すように、グループＧ１、Ｇ２をそれぞれ１つの装置として、始端ノードであるＮＥ１−１から終端ノードであるＮＥ１−６までの設計パス４を生成する。
【００３０】
このように、Ｂａｃｋ  ｔｏ  Ｂａｃｋ接続されたＮＥ１の接続情報に基づいてＯＭＳセクションの経路を生成することにより、グループなどに基づいて経路を設計できるため、簡易に経路を設計することができる。また、図３に示すように、さらに多くのＮＥ１を１つのグループに指定した場合でも、図１５のようにセクションが増加して複雑化することがない。図３では、Ｂａｃｋ  ｔｏ  Ｂａｃｋ接続されたＮＥ１−２、ＮＥ１−１０、ＮＥ１−１２、ＮＥ１−１３をグループＧ１とし、Ｂａｃｋ  ｔｏ  Ｂａｃｋ接続されたＮＥ１−８、ＮＥ１−１１、ＮＥ１−１４、ＮＥ１−１５をグループＧ２としている。
【００３１】
（実施の形態１）
以下、図面を参照して実施の形態１について説明する。図４は、実施の形態１に係るネットワークシステム１００の構成を示している。図４に示すように、実施の形態１に係るネットワークシステム１００は、図１と同様に、ＯＭＳセクションＯＳまたはＢａｃｋ  ｔｏ  ＢａｃｋセクションＢＳを介して接続された複数のＮＥ１と、ＮＥ１と管理ネットワーク３を介して接続されたＮＭＳ１０とを備えている。なお、ＯＭＳセクションによる通信は、第一の手段で通信を行う一例であり、Ｂａｃｋ  ｔｏ  Ｂａｃｋセクションによる接続は、第二の手段で接続を行う一例であり、ＷＤＭの他のレイヤや、他の通信方式のレイヤなどであってもよい。例えば、ＳＤＨ（Synchronous Digital Hierarchy）のレイヤであってもよい。
【００３２】
ＮＭＳ１０は、複数のＮＥ１を管理する管理装置であり、ＧＵＩ（Graphical User Interface）部１０１、グループ指定部１０２、経路生成部１０３、ＮＥ設定部１０４、トポロジ情報記憶部１０５、経路情報記憶部１０６を備えている。トポロジ情報記憶部１０５は、複数のＮＥ１の接続関係を示すトポロジ情報（接続情報）を記憶する。トポロジ情報記憶部１０５には、予めＮＥ１の接続関係を記憶してもよいし、経路を生成する際や定期的にＮＥ１から取得した接続関係を記憶してもよい。経路情報記憶部１０６は、複数のＮＥ１を通過する経路を示す経路情報を記憶する。
【００３３】
ＧＵＩ部１０１は、ＮＭＳ１０の表示部にウィンドウやアイコンなどを表示し、マウスやキーボードなどを介してユーザの入力を受け付けるユーザインタフェースである。ＧＵＩ部１０１は、ユーザにより入力された各種情報を各部へ出力する。例えば、ＧＵＩ部１０１は、ＮＥ１のグループ指定や経路条件などを入力する入力部である。また、ＧＵＩ部１０１は、トポロジ情報記憶部１０５及び経路情報記憶部１０６の情報、すなわち、指定されたグループや生成された経路を出力する出力部でもある。
【００３４】
グループ指定部１０２は、経路設計を行うためのグループとして、Ｂａｃｋ  ｔｏ  Ｂａｃｋ接続されたＮＥ１にグループを指定する。グループ指定部１０２は、ＧＵＩ部１０１へのユーザの入力操作に応じて、グループに含まれるＮＥ１を指定する。なお、グループ指定部１０２は、ＮＥ１の接続関係（接続情報）に基づいてＢａｃｋ  ｔｏ  Ｂａｃｋ接続されたＮＥ１を検出し、検出したＮＥ１に自動的にグループを指定してもよい。
【００３５】
経路生成部（経路設計部）１０３は、グループ指定部１０２により指定されたグループに基づいて、始端ノードから終端ノードまでの通信経路を生成（設計）する。経路生成部１０３は、指定されたグループを（仮想的に）１つのグループ装置として経路を生成する。特に、経路生成部１０３は、Ｂａｃｋ  ｔｏ  Ｂａｃｋセクションを考慮せずにＯＭＳセクションの接続関係のみに基づいて、始端ノードから終端ノードまでＯＭＳセクションを介して接続する経路を生成する。なお、グループを指定せずに経路を生成してもよい。例えば、グループ指定部（接続情報取得部）１０２が、Ｂａｃｋ  ｔｏ  Ｂａｃｋ接続されたＮＥ１の接続情報を取得し、経路生成部１０３が、取得した接続情報に基づいてＯＭＳセクションの経路を生成してもよい。なお、経路の始端ノードと終端ノードなどの経路条件はユーザが指定してもよいし、ＮＥ１の接続関係に基づき経路生成部１０３が検出してもよい。また、ＮＥ設定部１０４は、経路生成部１０３が生成した経路（経路情報）を、管理ネットワーク３を介してＮＥ１へ設定する。
【００３６】
ＮＥ１は、ＷＤＭネットワーク２を構成する通信装置であり、一方の方路からＷＤＭ信号を受信し、波長単位で信号の分岐・挿入を行い、他方の方路へＷＤＭ信号を送信する。ＮＥ１は、ＷＤＭ伝送部１１１及び１１２、トランスポンダ１１３、スイッチ部１１４、制御部１１５を備えている。ＮＥ１は、ＷＤＭ伝送部１１１及び１１２側の２つの方路と、トランスポンダ１１３側の１つの方路とを含む３つの方路を有している。なお、トランスポンダを介した方路を有していれば、任意の数の方路を有していてもよい。
【００３７】
ＷＤＭ伝送部１１１及び１１２は、ＮＥ１のメインの通信路である２方路で他のＮＥ１と通信を行うための伝送部であり、他のＮＥ１との間でＷＤＭ信号を送受信する。ＷＤＭ方式では複数のレイヤ構造が規定されており、ＷＤＭ伝送部１１１及び１１２は、ＷＤＭのレイヤのうちのＯＭＳセクションレイヤの接続であるＯＭＳセクションを介して他のＮＥ１と通信を行う。
【００３８】
トランスポンダ１１３は、主にクライアント装置と通信を行うための伝送部であり、クライアント装置との間でクライアント信号を送受信する。ここでは、Ｂａｃｋ  ｔｏ  Ｂａｃｋ接続を行うため、トランスポンダ１１３は、クライアント装置の代わりに隣接するＮＥ１のトランスポンダと相互接続（対向接続）され、ＷＤＭ伝送部１１１及び１１２と同様に、隣接するＮＥ１との間でＷＤＭ信号を送受信する。トランスポンダを介したＢａｃｋ  ｔｏ  Ｂａｃｋ接続による伝送距離（例えば隣のＮＥ１まで数メートル）は、ＯＭＳセクション接続による伝送距離（例えば隣のＮＥ１まで数十Ｋメートル）よりも短い。なお、複数のＮＥ１とＢａｃｋ  ｔｏ  Ｂａｃｋ接続してもよい。
【００３９】
スイッチ部１１４は、入力されるＷＤＭ信号の波長に応じて出力先を切り替える。スイッチ部１１４は、入力されるＷＤＭ信号をアド／ドロップするアド／ドロップ部でもある。スイッチ部１１４は、ＷＤＭ伝送部１１１及び１１２、トランスポンダ１１３の３方路から入力されるＷＤＭ信号を経路情報に基づいて３方路のいずれかへ出力する。制御部１１５は、ＮＥ１の各部の動作を制御し、特に、ＮＭＳ１０からの制御に基づいて、スイッチ部１１４が経路を切り替えるための経路情報を設定する。
【００４０】
次に、本実施の形態に係るネットワークシステムにおける経路設計処理について説明する。
【００４１】
図５に示すように、まず、ＮＭＳ１０のグループ指定部１０２は、ＮＥ１のグループを指定し（Ｓ１０１）、ＧＵＩ部１０１は、指定されたグループを表示する（Ｓ１０２）。ＧＵＩ部１０１は、ＮＭＳ１０の表示部に図６のようなノードマップウィンドウ２００を表示する。ノードマップウィンドウ２００は、ＮＥ１の接続関係（トポロジ）を示すノードマップ表示部（トポロジ表示部）２０１を有している。ノードマップ表示部２０１では、ＮＥ１における障害のアラームなど、ＮＥ１の状態が表示される。例えば、ＧＵＩ部１０１は、トポロジ情報記憶部１０５に記憶されたトポロジ情報に基づきノードマップを表示する。
【００４２】
グループを選択する際、図７に示すように、ユーザがノードマップ表示部２０１に表示されるＮＥ１のアイコンを選択して、グループに含まれるＮＥ１を指定してもよい。また、図８に示すような、グループウィンドウ２１０を表示し、グループ作成ボタン２１１やＮＥ追加ボタン２１２を操作することで、グループを作成し、グループに含まれるＮＥを指定してもよい。ノードマップ表示部２０１やグループウィンドウ２１０は、ＮＥ１をグループに指定するための入力を受け付けるグループ指定入力部であり、ＧＵＩ部１０１とグループ指定部１０２のいずれかまたは両方で実現されてもよい。例えば、ＧＵＩ部１０１またはグループ指定部１０２は、指定されたグループをトポロジ情報記憶部１０５に記憶する。
【００４３】
また、ＧＵＩ部１０１は、図９に示すように、ノードマップ表示部２０１に、指定したグループを示すグループ枠２０２とグループアイコン２０３を表示する。グループ枠２０２の中にグループに含まれるＮＥのアイコンを表示する。このノードマップ表示部２０１は、指定されたグループを表示するグループ表示部でもある。例えば、ＧＵＩ部１０１は、トポロジ情報記憶部１０５に記憶されたトポロジ情報及びグループに基づいて、ノードマップ表示部２０１にグループを表示する。
【００４４】
続いて、ＮＭＳ１０の経路生成部１０３は、指定されたグループに基づき経路を生成し（Ｓ１０３）、ＧＵＩ部１０１は、生成された経路を表示する（Ｓ１０４）。
【００４５】
例えば、ＧＵＩ部１０１は、図１０のようなパスマップウィンドウ２２０を表示する。パスマップウィンドウ２２０は、ＮＥ１のパスを示すパスマップ表示部（経路表示部）２２１を有している。パスマップウィンドウ２２０は、指定されたグループを１つの装置と同じ１つのグループアイコン２２２で表示する。パスマップウィンドウ２２０も、指定されたグループを表示するグループ表示部であるとも言える。ユーザが経路条件入力ボタン２２３などを操作することで、始端ノード、終端ノード、帯域などの経路条件を入力する。パスマップ表示部２２１は、経路条件の入力を受け付ける経路条件入力部でもあり、ＧＵＩ部１０１と経路生成部１０３のいずれかまたは両方で実現されてもよい。例えば、ＧＵＩ部１０１または経路生成部１０３は、入力された経路条件を経路情報記憶部１０６に記憶する。
【００４６】
経路条件を入力すると、経路生成部１０３は、入力された経路条件を満たす最適な経路を生成する。経路生成部１０３は、指定されたグループを１つのＮＥとして、ＯＭＳセクションのみで最適な経路を生成する。例えば、経路生成部１０３は、トポロジ情報記憶部１０５に記憶されたトポロジ情報及びグループに基づき、経路情報記憶部１０６に記憶された経路条件を満たす最適な経路情報を生成し、生成した経路情報を経路情報記憶部１０６に記憶する。経路生成部１０３は、グループ内のＮＥ１と、グループ外のＮＥ１とを接続するＯＭＳセクションをグループ装置の入力または出力経路として最適な経路を生成する。すなわち、グループ内の全ＮＥ１の方路（トランスポンダ以外）に接続されるＯＭＳセクションを経路候補として、始端ノードと終端ノード間で最短となる経路、必要な帯域が使用可能な経路を生成する。
【００４７】
また、ＧＵＩ部１０１は、図１１に示すように、パスマップ表示部２２１に生成された設計パス２２４を表示する。パスマップ表示部２２１でユーザがパスを表示するための操作を行った場合に、設計パス２２４を表示してもよい。例えば、ＧＵＩ部１０１は、経路情報記憶部１０６に記憶された経路情報に基づき、設計パス２２４を表示する。
【００４８】
その後、ＮＭＳ１０のＮＥ設定部１０４は、生成された経路をＮＥ１へ設定する（Ｓ１０５）。ＮＥ設定部１０４は、経路情報記憶部１０６に記憶された経路情報に基づき、この経路に含まれるＮＥ１に対し、管理ネットワーク３を介して経路情報を送信する。生成した経路情報には、グループ内のＮＥ１とグループ外のＮＥ１とのＯＭＳセクションの経路が含まれるため、このＯＭＳセクションの接続関係と、経路に対応したグループ内のＮＥ１間のＢａｃｋ  ｔｏ  Ｂａｃｋの接続関係を該当するＮＥ１に設定する。例えば、図２のようにＮＥ１−１からＮＥ１−６までの設計パス４を設定する場合、ＮＥ１−１とＮＥ１−２間のＯＭＳセクション接続、ＮＥ１−２とＮＥ１−１０間のＢａｃｋ  ｔｏ  Ｂａｃｋ接続、ＮＥ１−１０とＮＥ１−１１間のＯＭＳセクション接続、ＮＥ１−１１とＮＥ１−８間のＢａｃｋ  ｔｏ  Ｂａｃｋ接続、ＮＥ１−８、ＮＥ１−７、ＮＥ１−６間のＯＭＳセクション接続を通信経路として各ＮＥ１に設定する。ＮＥ１の制御部１１５は、受信した経路情報をスイッチ部１１４に設定し、スイッチ部１１４は、設定された経路情報に基づきスイッチングを行う。
【００４９】
以上のように、本実施の形態では、ＮＭＳにおいて、Ｐｈｙｓｉｃａｌセクションで互いに接続されている複数のＷＤＭ装置の接続関係に基づいてＯＭＳセクションの経路を生成する。特に、ＮＭＳは、Ｐｈｙｓｉｃａｌセクションで互いに接続されている複数のＷＤＭ装置をひとつのＷＤＭグループとして管理する。ＮＭＳから経路設計を実施する際、ＷＤＭグループ内の全装置が保持する方路に接続されているＯＭＳセクションを経路候補とし、論理的にＰｈｙｓｉｃａｌセクションを考慮しないセクションレイヤ管理とする。これにより、ＮＭＳではＯＭＳセクションのみで構成されるメッシュ型ネットワークを管理し、レイヤ間を跨らずＯＭＳセクションのみを考慮して簡易に経路設計を行うことができる。
【００５０】
なお、本発明は上記実施の形態に限られたものではなく、趣旨を逸脱しない範囲で適宜変更することが可能である。
【００５１】
上述の実施形態における各構成は、ハードウェア又はソフトウェア、もしくはその両方によって構成され、１つのハードウェア又はソフトウェアから構成してもよいし、複数のハードウェア又はソフトウェアから構成してもよい。無線装置の各機能（各処理）を、ＣＰＵやメモリ等を有するコンピュータにより実現してもよい。例えば、記憶装置に実施形態におけるネットワーク管理方法を行うためのネットワーク管理プログラムを格納し、各機能を、記憶装置に格納されたネットワーク管理プログラムをＣＰＵで実行することにより実現してもよい。
【００５２】
これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５３】
１      ＮＥ
２      ＷＤＭネットワーク
３      管理ネットワーク
４      設計パス
１０    ＮＭＳ
１１    グループ指定部
１２    経路生成部
１００  ネットワークシステム
１０１  ＧＵＩ部
１０２  グループ指定部
１０３  経路生成部
１０４  ＮＥ設定部
１０５  トポロジ情報記憶部
１０６  経路情報記憶部
１１１、１１２  ＷＤＭ伝送部
１１３  トランスポンダ
１１４  スイッチ部
１１５  制御部
２００  ノードマップウィンドウ
２０１  ノードマップ表示部
２０２  グループ枠
２０３  グループアイコン
２１０  グループウィンドウ
２１１  グループ作成ボタン
２１２  ＮＥ追加ボタン
２２０  パスマップウィンドウ
２２１  パスマップ表示部
２２２  グループアイコン
２２３  経路条件入力ボタン
２２４  設計パス
【図１】
2015177402.tif 000003
【図２】
2015177402.tif 000004
【図３】
2015177402.tif 000005
【図４】
2015177402.tif 000006
【図５】
2015177402.tif 000007
【図６】
2015177402.tif 000008
【図７】
2015177402.tif 000009
【図８】
2015177402.tif 000010
【図９】
2015177402.tif 000011
【図１０】
2015177402.tif 000012
【図１１】
2015177402.tif 000013
【図１２】
2015177402.tif 000014
【図１３】
2015177402.tif 000015
【図１４】
2015177402.tif 000016
【図１５】
2015177402.tif 000017